(57)【要約】【課題】個人の趣味の多様化に追随していくために、装身具の構造を単純化し、尚かつ、外リングと内リングを組み合わせて、外リングを回転可能とすることで、装飾的効果を得て、趣味性を向上させた装身具を提供することを目的とした。【解決手段】外リング１に透かし部を設け、環状に形成された外リング１の内周面に、周方向に沿って連続した環状溝２を形成、上記環状溝２に、幅寸法が上記環状溝２より狭くした内リング３を配して組み付けることで、外リング１を周方向に回転可能とした。【選択図】図１
2005065790.tif 000002
【特許請求の範囲】
【請求項１】
外リングの内周部に内リングを組み付け、外リングを周方向に回転可能とした装身具において、上記外リング１に透かし部５を設け、環状に形成された上記外リング１の内周面に、周方向に沿って連続した環状溝２を形成、上記環状溝２に幅寸法を上記環状溝２より狭くした内リング３を組み付けることで、上記外リング１を周方向に回転可能としたことを特徴とする装身具。
【請求項２】
外リング１の内径寸法より０.１ｍｍ小さい外径寸法の内リング３を、外リング１の内径部に配して、上記内リング３の径を伸ばして組み付けることを特徴とした請求項１記載の装身具の製造方法。
【請求項３】
外リング１の幅を周方向に沿って二分割し、外リングａ、外リングｂを製作、又は、周方向に対して直交に二分割形状にして、外リングｃ、外リングｄを製作、上記外リング１ａ、１ｂ、又は１ｃ、１ｄに、上記二分割した外リングと同じ内径寸法の内リング３を配して、上記二分割の外リングをレーザー溶接等にて接合し、一体化して上記内リング３を組み付けることを特徴とした請求項１記載の装身具の製造方法。
【発明の詳細な説明】
【技術分野】
【０００１】
本発明は、回転可能な装身具、例えば指輪、腕輪等に関し、外リングの内周面に内リングを配して組み付け、外リングを周方向に回転可能とした装身具とその製造方法に関するものである。
【背景技術】
【０００２】
装身具、例えば指輪において、内側リングの外周に凹溝を設けて、上記凹溝に外側リングを組み込んで回転可能にした方法及び、内側リングの外周面を凸形状にして、外側リングの内周面に形成した凹溝に組み込んで外側リングを回転可能にした方法で提案されている（例えば特許文献１参照。）。
【０００３】
また、（図７参照）内側リングの外周を凹形状として、上記内側リングの幅を周方向に沿って左右に二分割して、外側リングの内径部に上記内側リングを配し、そして、嵌合させて外側リングを回転可能とした方法が提案されている（例えば特許文献２参照。）。
【０００４】
さらに、（図８参照）内側リングの周縁片方に鍔を設け、外側リングを上記内側リングの鍔の無い部分より挿入、そして、その部分に鍔を嵌着して回転可能とした方法で提案されている（特許文献３参照。）。
【０００５】
しかし、上記の何れの提案も外側リングの外周部分だけが見えて、内側リングの外周は見えない製造方法であり、外側リングが回転可能であるだけでは装飾的効果が得られ難かった。また、凹凸を内外側リングに設ける製造方法であるために、スムーズに回転させるには寸法精度が要求され、ロストワックス鋳造法では作りが難しい問題があった。
【特許文献１】実開昭６４−３９０１３号公報
【特許文献２】公開特許２００１−３２１２１０号広報
【特許文献３】公開特許２００２−３１５６１３号広報
【発明の開示】
【発明が解決しようとする課題】
【０００６】
解決しようとする問題点は、個人の趣味の多様化に追随していくために、装身具の構造を単純化し、機械加工及び、ロストワックス鋳造法でも対応出来、尚かつ、装飾的効果にて趣味性を向上させた装身具とその製造方法を提供することを目的とした。
【課題を解決するための手段】
【０００７】
本発明は、外リング１に透かし部５を設け、環状に形成された外リング１の内周面に、周方向に沿って連続した環状溝２を形成、上記環状溝２に、幅寸法を上記環状溝２より狭くし、且つ、外リング１の内径寸法より０.１ｍｍ小さい外径寸法の内リング３を、上記外リング１の内径部に配して、上記内リング３の径を伸ばして組み付けることで外リング１を周方向に回転可能とした。
【０００８】
また、上記外リング１の幅を周方向に沿って二分割して外リング１ａ、外リング１ｂとした方法、または、周方向に対して直交に二分割して外リング１ｃ、外リング１ｄとし、上記二分割した外リング１ａ、１ｂ、又は１ｃ、１ｄに、上記二分割した外リングと同じ内径寸法の内リング３を配して、上記二分割の外リングをレーザー溶接等にて接合し、一体化することで外リング１を周方向に回転可能とした。
【発明の効果】
【０００９】
本発明の装身具は外リング１の外周部と、内リングの外周部４が見える製造方法にしたことで、外リング１と内リング３の組み合わせにより装飾的効果が得られ、趣味性を向上させた装身具を提供することが可能となった。
【発明を実施するための最良の形態】
【００１０】
以下、図面を用いて本発明の実施形態を詳細に説明する。
【実施例１】
【００１１】
図１、図３は、本発明の一実施例の斜視図であって、図２、図５，図６は上記斜視図の組み付け工程を示す概念図である。
【００１２】
図２の実施例は、請求項２に記述した一実施例の組み付け工程を示し、図２（ａ）は、バフ、又は、バレル研磨にて鏡面仕上げした内リングの外周部４にブリリアントカットしたダイヤのキューレット部等を用いて打ち付け加工を施した内リング３を示す。
【００１３】
図２（ｂ）は、鏡面仕上げした外リング１に透かし部５が設けてあり、環状に形成された上記外リング１の内周面に、周方向に沿って連続した環状溝２を形成していることを示す。
【００１４】
図２（ｃ）は、外リング１の環状溝２に、幅寸法を上記環状溝２より狭くし、且つ、外リング１の内径寸法より０.１ｍｍ小さい外径寸法の内リング３を、上記外リング１の内径部に配したことを示す。
【００１５】
図２（ｄ）は、内リング３の径をリングサイズ伸ばし機にて、外リング１の内径寸法と同寸法に伸ばして組み付けることで外リング１を周方向に回転可能とした。そして、伸ばし加工による内リング３の内周部の疵をバフ研磨にて鏡面仕上げして完成させたことを示す。
【００１６】
上記のリングの径を大きくする作業において、内リングの外周部４に打ち付け加工等のテクスチャーを施すことにより、内リング３の径を大きくしたことによる加工じわの影響を目立たなくした。
【００１７】
図５は、請求項３に記述した一実施例の組み付け工程を示し、図５（ａ）は、外リング１の幅を周方向に沿って二分割形状となるように外リング１ａ、外リング１ｂをロストワックス鋳造法にて作り、バフ、又は、バレル研磨にて鏡面仕上げした上記外リング１ａ、１ｂの内径部に、バフ、又はバレル研磨にて鏡面仕上げして、内リングの外周部４に宝石６を石留めした上記二分割の外リングと内径寸法が同寸法の内リング３を配する途中工程を示す。
【００１８】
図５（ｂ）は、外リング１ａ、外リング１ｂに上記内リング３を配し、上記二分割の外リングの境界部７をレーザー溶接等にて接合し一体化して周方向に回転可能とした。そして、接合箇所をバフ研磨にて鏡面仕上げして完成させたことを示す。
【００１９】
図６は、請求項３に記述した一実施例の組み付け工程を示し、図６（ａ）は、外リング１を周方向に対して直交に二分割形状となるように外リング１ｃ、外リング１ｄをロストワックス鋳造法にて作り、バフ、又は、バレル研磨にて鏡面仕上げした上記外リング１ｃ、１ｄの内径部に、バフ、又はバレル研磨にて鏡面仕上げして、内リングの外周部４に宝石６を石留めした上記二分割の外リングと内径寸法が同寸法の内リング３を配する途中工程を示す。
【００２０】
図６（ｂ）は、外リング１ｃ、外リング１ｄに上記内リング３を配し、上記二分割の外リングの境界部１５をレーザー溶接にて接合し、一体化して周方向に回転可能とした。そして、接合箇所をバフ研磨にて鏡面仕上げして完成させたことを示す。
【００２１】
本発明の素材、手段の構成として、外リング１を金色、内リング３を白金色として用い（逆でも良い）、更に、外リング１の外周部に透かし部の他に宝石の石留め等を行うことで、より装飾的効果が得られる。
【図面の簡単な説明】
【００２２】
【図１】本発明の一実施例の斜視図である。
【図２】図１の斜視図を基に、請求項２に記述の組み付け工程を示した概念図である。
【図３】図１Ａ−Ａ線断面図である。
【図４】本発明の一実施例の斜視図である。
【図５】図４の斜視図を基に、請求項３に記述の周方向に沿って二分割の組み付け工程を示した概念図である。
【図６】図４の斜視図を基に、請求項３に記述の周方向に対して直交に二分割の組み付け工程を示した概念図である。
【図７】内側リングの幅を周方向に左右に二分割した従来の装身具の製造方法を示す横断面図である。
【図８】内側リングの周縁片方に鍔を設けた従来の装身具の製造方法を示す横断面図である。
【符号の説明】
【００２３】
１    外リング
１ａ  外リング
１ｂ  外リング
１ｃ  外リング
１ｄ  外リング
２    環状溝
３    内リング
４    内リングの外周部
５    透かし部
６    宝石
７    境界部
１０    外側リング
１１    内側リング
１１ａ  二分割の内側リング
１１ｂ  二分割の内側リング
１２    周縁部に鍔を設けた内側リング
１２ａ  周縁部片方に鍔を設けた内側リング
１３    鍔
１４    鍔
１５    境界部
【図１】
2005065790.tif 000003
【図２】
2005065790.tif 000004
【図３】
2005065790.tif 000005
【図４】
2005065790.tif 000006
【図５】
2005065790.tif 000007
【図６】
2005065790.tif 000008
【図７】
2005065790.tif 000009
【図８】
2005065790.tif 000010